(57)【要約】【課題】遊技に用いられる抽選テーブルを不正に変更するゴト行為を防止することができる遊技機を提供する。【解決手段】スロットマシン１０を遊技モードから設定モードに切り換えるように、モード切り換え操作部３５のキーシリンダ３６及び電源スイッチ３７が操作されたとき、識別部７３は、精算部７２によって精算処理が行われているか否かを識別する。精算処理が行われていることが識別部７３によって識別されると、選択スイッチ３５及びスタートレバー２２による選択操作が有効化され、抽選テーブルの変更が可能となる。精算処理が行われていないことが識別部７３によって識別されると、設定無効化部７４は、選択スイッチ３５及びスタートレバー２２による選択操作を無効化し、エラー報知部７５は、液晶表示装置１６を用いてエラー報知を行う。【選択図】        図５
2006239064.tif 000002
【特許請求の範囲】
【請求項１】
当りの当選確率が互いに異なる複数の抽選テーブルの中から一つを選択する選択操作が有効となる設定モードと、前記設定モードで選択された抽選テーブルを用いて遊技が実行される遊技モードとが設けられ、前記遊技モードから前記設定モードへと切り換えるモード切り換え操作部と、クレジットされた遊技媒体を払い出す精算処理を行う精算手段とを備えた遊技機において、
前記モード切り換え操作部が操作されたときに、前記精算手段によって精算処理が行われているか否かを識別する識別手段と、
前記識別手段により精算処理が行われていないことが識別されたときに、前記選択操作を無効化する設定無効化手段とを備えたことを特徴とする遊技機。
【請求項２】
前記識別手段により精算処理が行われていないことが識別されたときに、エラー報知を行う報知手段を備えたことを特徴とする請求項１記載の遊技機。
【請求項３】
前記モード切り換え操作部は、電源供給のオンまたはオフを切り換える電源スイッチと、鍵による操作に基づく回動位置に応じて鍵操作信号を出力するキーシリンダとから構成され、前記キーシリンダを前記鍵操作信号を出力する回動位置とした状態で電源供給をオフからオンに切り換える前記電源スイッチの操作を行うことによって、前記遊技モードから前記設定モードへと切り換えることを特徴とする請求項１または請求項２記載の遊技機。
【発明の詳細な説明】
【技術分野】
【０００１】
本発明は、当りの当選確率が異なる複数の抽選テーブルから一つを選択する操作が行われ、選択された抽選テーブルを用いて遊技が実行される遊技機に関するものである。
【背景技術】
【０００２】
本明細書中では遊技機の１つとしてパチスロ機を例に挙げて説明しているため、遊技媒体としてメダルを用いて説明するが、遊技媒体としてはコインやパチンコ球など他の媒体も含む。また、「メダル（遊技媒体）投入」には、実際にメダル投入口にメダルを投入することの他に、投入されたメダルの枚数を数値化して記憶された、いわゆるクレジットされたメダルをベットボタンなどによりベットすることを含む。さらに、図柄を入賞有効ライン上に揃えた状態を入賞、入賞となる前の状態で、当選役を決定する抽選（以下、当選役抽選と称する）により当選役に当選し、これが入賞されるまでの状態を内部入賞とする。
【０００３】
パチンコ店などの遊技場に設置して使用されるスロットマシンはパチスロ機と称され、その遊技媒体となっているメダルに一定の価値が与えられて、遊技を行って獲得したメダルを種々の景品に交換することができる。
【０００４】
パチスロ機では、当りの当選確率が異なる複数種類の抽選テーブルから１つの抽選テーブルが選択され、選択された抽選テーブルを用いて遊技が実行される。抽選テーブルが変更されると、当選役の当選確率やハズレの確率が変化して、遊技者に利益が付与される確率が変動する。各抽選テーブルは設定値と称する値に１対１で対応づけられている。一般に、パチスロ機では、筐体内部を開閉する扉の施錠を解除し、この扉を開放することによって遊技に用いられる抽選テーブルを設定することが可能になる。そして、遊技に用いられる抽選テーブルを各パチスロ機ごとに設定したり、あるいは、これを変更することによって、遊技場にとっては営業上の利益を確保することができ、遊技者にとっては公平に遊技を行うことができるメリットがある。さらに、遊技者にとっては利益が付与される確率の高い抽選テーブルが設定されたパチスロ機を推測する楽しみもあるため、遊技の興趣を盛り上げる点でも遊技に用いられる抽選テーブルの設定は重要なものとなっている。
【０００５】
しかしながら、遊技に用いられる抽選テーブルを変更する権限のない者が不正に変更する、いわゆるゴト行為が行われることが問題となっており、これを防止するために、筐体内部を開閉する扉が閉じ位置にあるか否かを検出し、扉が閉じ位置にある場合には設定変更を行えないスロットマシンが特許文献１などで提案されている。
【特許文献１】特開２００４−１３５８４４号公報
【発明の開示】
【発明が解決しようとする課題】
【０００６】
しかしながら、上記のようなスロットマシンでは、筐体の扉を開くことのできる合鍵を不正に用いたり、筐体の扉をこじ開けるなどして、遊技に用いられる抽選テーブルを不正に変更することが行われてしまうという問題があった。
【０００７】
本発明は、遊技に用いられる抽選テーブルを不正に変更するゴト行為を防止することができる遊技機を提供することを目的とする。
【課題を解決するための手段】
【０００８】
本発明の遊技機は、当りの当選確率が互いに異なる複数の抽選テーブルの中から一つを選択する選択操作が有効となる設定モードと、前記設定モードで選択された抽選テーブルを用いて遊技が実行される遊技モードとが設けられ、前記遊技モードから前記設定モードへと切り換えるモード切り換え操作部と、クレジットされた遊技媒体を払い出す精算処理を行う精算手段とを備えたものであって、前記モード切り換え操作部が操作されたときに、前記精算手段によって精算処理が行われているか否かを識別する識別手段と、前記識別手段により精算処理が行われていないことが識別されたときに、前記選択操作を無効化する設定無効化手段とを備えたことを特徴とするものである。
【０００９】
また、前記識別手段により精算処理が行われていないことが識別されたときに、エラー報知を行う報知手段を備えることが好適である。
【００１０】
また、前記モード切り換え操作部は、電源供給のオンまたはオフを切り換える電源スイッチと、鍵による操作に基づく回動位置に応じて鍵操作信号を出力するキーシリンダとから構成され、前記キーシリンダを前記鍵操作信号を出力する回動位置とした状態で電源供給をオフからオンに切り換える前記電源スイッチの操作を行うことよって、前記遊技モードから前記設定モードへと切り換えることが好適である。
【発明の効果】
【００１１】
本発明の遊技機は、モード切り換え操作部が操作されたときに、精算手段によって精算処理が行われているか否かが識別され、該識別手段により精算処理が行われていないことが識別されたときには選択操作を無効化するので、遊技に用いられる抽選テーブルを設定する際には、モード切り換え操作部を操作する前に精算処理を始動させ、該精算処理が終了する前にモード切り換え操作部を操作しなければならない。このため、遊技に用いられる抽選テーブルを設定するために手間と時間を要し、また、スロットマシン等における精算処理では遊技媒体であるメダルが払い出される際に大きな音が生じるので、遊技場の管理者に気付かれることなく遊技に用いられる抽選テーブルを不正に変更することが困難となり、したがって、遊技に用いられる抽選テーブルを不正に変更するゴト行為を防止することができる。
【００１２】
また、識別手段により精算処理が行われていないことが識別されたときに、エラー報知を行う報知手段を備えることによって、遊技場の管理者に気付かれることなく遊技に用いられる抽選テーブルを不正に変更することを困難とすることができる。
【００１３】
また、モード切り換え操作部を、電源供給のオンまたはオフを切り換える電源スイッチと、鍵による操作に基づく回動位置に応じて鍵操作信号を出力するキーシリンダとから構成し、キーシリンダを鍵操作信号を出力する回動位置とした状態で電源供給をオフからオンに切り換える電源スイッチの操作を行うことによって、遊技モードから設定モードへと切り換えるようにすることで、モード切り換え操作部を操作するために鍵を必要とし、また、一度電源供給をオフにしなければならないので、遊技場の管理者に気付かれることなく遊技に用いられる抽選テーブルを不正に変更することを困難とすることができる。
【発明を実施するための最良の形態】
【００１４】
図１において、スロットマシン（遊技機）１０は、収納箱１１と収納箱１１の前面に回動自在に取付けられた前面扉１２とからなる筐体１３を備えている。前面扉１２は上部に設けられた上部扉１２ａと下部に設けられた下部扉１２ｂとからなる。上部扉１２ａには透明な表示窓１４が設けられている。表示窓１４の奥には第１リール１５ａ、第２リール１５ｂ、第３リール１５ｃを有するリールユニットが設けられている。第１リール１５ａ〜第３リール１５ｃの外周面には複数種類の図柄が配列されており、リールが停止すると表示窓１４を通して１リール当たり３個の図柄が外部に表示される。スロットマシン１０では、各リールが停止した時に計９個の図柄が表示され、各図柄が停止する位置を直線状に結んだ入賞ラインが横に３本、斜めに２本の合計５本設定されている。表示窓１４の右側方には液晶表示装置１６が設けられており、例えば、アニメーションを利用して当選した当選役の種類を報知するなど遊技上の様々な演出画像を表示する。
【００１５】
スロットマシン１０は、詳しくは後述するが、電子抽選による当りの当選確率が異なる６種類の抽選テーブルを有しており、いずれか１つの抽選テーブルを用いて遊技が実行される。当りの当選確率が高い抽選テーブルが使用されると、遊技に使用されるメダルの数に対して払い出されるメダルの数の平均的な割合を示すペイアウト率が高くなり、遊技者に利益を付与する確率が高くなる。周知のように、各抽選テーブルは、当りの当選確率が６段階に分けられ、６種類の設定値と対応している。この設定値には設定１〜設定６があり、設定１→設定２→設定３→設定４→設定５→設定６と設定値が高い順に当りの当選確率が高く、ペイアウト率が高い。また、スロットマシン１０には、設定モードと遊技モードが設けられており、詳しくは後述するが、遊技に用いる抽選テーブルを選択する選択操作は設定モードにおいて有効となる。設定モードで選択された抽選テーブルを用いた遊技は、遊技モードにおいて実行される。
【００１６】
下部扉１２ｂには、遊技の開始時に操作され、メダルが１枚づつ投入される１ベットボタン１８、メダルの上限の投入枚数である３枚が一度に投入されるＭＡＸベットボタン１９が設けられている。また、クレジットされているメダルを払い出すためのペイアウトボタン２０、遊技を行う際にメダルを投入するためのメダル投入口２１、第１リール１５ａ〜第３リール１５ｃを回転させて遊技を開始する際又は抽選テーブルの設定時に抽選テーブルの選択を確定する際に操作されるスタートレバー２２、回転するリールをそれぞれ停止させるための第１ストップボタン２３〜第３ストップボタン２５などが設けられている。また、下部扉１２ｂにはメダル受け皿２６が設けられており、入賞したときに得られるメダルやペイアウトボタン２０の操作に応じて払い出されるメダルは、払い出し口２７からメダル受け皿２６に払い出される。
【００１７】
下部扉１２ｂの前面の側方にはドアキーシリンダ２８が設けられている。ドアキーシリンダ２８に専用の鍵であるドアキーを差し込んで回転させると下部扉１２ｂの施錠が解除され、下部扉１２ｂを開放することが可能になる。下部扉１２ｂを開放すると、収納箱１１と上部扉１２ａとの係合を解除でき、上部扉１２ａを開放することができる。なお、スロットマシン１０は、下部扉１２ｂを開放した状態でも遊技を行うことが可能であるが、例えば、下部扉１２ｂの開放を検知することによって、メダルの投入を受け付けず、メダルが投入してある状態でも遊技を行うことが不可能な遊技禁止状態へ移行させるようにしてもよい。
【００１８】
表示窓１４の下方には、数字やアルファベット等により遊技情報を表示する７セグメント式の表示器から構成された遊技情報表示部３０が設けられている。遊技情報表示部３０は、遊技客に遊技情報を表示するために外部から視認可能に設けられ、１回の遊技によって獲得したメダル数を表示するペイアウト表示部３０ａと、ボーナス遊技中の残りゲーム数等を表示するゲームカウント表示部３０ｂと、１回の遊技に必要なメダル数より多くメダルを投入したときに、スロットマシン１０にクレジットされたメダル数を表示するクレジット表示部３０ｃとからなる。ペイアウト表示部３０ａとクレジット表示部３０ｃは例えば２桁の数字を表示することができ、ゲームカウント表示部３０ｂは３桁の数字を表示することができる７セグメント式の発光型表示器からなる。ゲームカウント表示部３０ｂは、抽選テーブルの設定時に選択される抽選テーブルに対応する設定値を表示するためにも利用される。
【００１９】
収納箱１１の内部には、遊技モードから設定モードへと切り換えるモード切り換え操作部３５が設けられている。モード切り換え操作部３５は、下部扉１２ｂを開放すると外部に露呈される。モード切り換え操作部３５の前面には、キーシリンダ３６と、スロットマシン１０の電源供給のオン／オフを切り換える電源スイッチ３７と、抽選テーブルを選択するための選択ボタン３８とが設けられている。
【００２０】
キーシリンダ３６には、鍵４０が差し込まれる。キーシリンダ３６は、差し込まれた鍵４０を回動する操作が行われると、オフ位置とオン位置の２つの位置間で回動する。キーシリンダ３６には、オン位置に回動されたことを検知するセンサが内蔵されており、鍵４０の操作によってオン位置に回動されたときに鍵操作信号を出力する。キーシリンダ３６をオン位置に回動した状態で電源スイッチ３７をオフからオンに切り換えると、スロットマシン１０は遊技モードから設定モードへと切り換えられる。
【００２１】
スロットマシン１０が設定モードに切り換わると、ゲームカウント表示部３０ｂにスロットマシン１０の現在設定されている抽選テーブルに対応する設定値が表示され、遊技に用いる抽選テーブルを選択する選択操作が有効化される。選択操作は、図３に示すように、スタートレバー２２及び選択ボタン３８を用いて行われる。抽選テーブルを選択する際には、選択ボタン３８を押下する。ゲームカウント表示部３０ｂには、選択ボタン３８が押下されるごとに選択される抽選テーブルが変更され、６段階の設定値が設定１→設定２→設定３→設定４→設定５→設定６→設定１・・・の順番で一巡するように順次に切り替わって表示される。選択ボタン３８で抽選テーブルの選択をした後、スタートレバー２２を操作すると選択した抽選テーブルが確定する。選択した抽選テーブルが確定した後、鍵４０を用いてキーシリンダ３６をオフ位置に回動させると、スロットマシン１０は設定モードから遊技モードへと切り換わる。スロットマシン１０は設定モードから遊技モードへと切り換わると、設定値の表示は終了する。抽選テーブルを選択する操作を終了するときには下部扉１２ｂを閉じてその施錠を行う。
【００２２】
図４に示すように、スロットマシン１０は、遊技の進行に基づく全ての処理がＣＰＵ６０によって管制される。メモリ６１は、ＣＰＵ６０によって実行される遊技プログラムが記憶されたＲＯＭと、遊技の進行に伴って発生する演算値やパラメータの値などを記憶するＲＡＭとを備えている。
【００２３】
メダルセンサ６３はメダル投入口２１から投入されたメダルを検知し、メダルの検知信号をＣＰＵ６０に入力する。ＣＰＵ６０は、メダルセンサ６３からの検知信号に基づいてメダルの枚数を計数する。このとき、１回の遊技に必要なメダル数より多くメダルを投入したときには、余剰分はクレジットされ、枚数を数値化したクレジット情報としてメモリ６１に記憶される。ＣＰＵ６０は、１ベットボタン１８又はＭＡＸベットボタン１９が操作されると、投入された１枚〜３枚のメダルを消費して、入賞有効ラインの有効化本数を決定する。また、遊技を行うには、メダル投入口に実際にメダルを投入することの他に、クレジットされたメダルを使用することができる。
【００２４】
スタート信号センサ６４は、スタートレバー２２の操作を検知し、スタート信号をＣＰＵ６０に入力する。ストップボタンセンサ６６ａ〜６６ｃは、第１ストップボタン２３〜第３ストップボタン２５が操作されたときにＣＰＵ６０にリールごとのストップ信号を入力する。リール駆動部６５は、スタート信号に応答してＣＰＵ６０から出力されるリール始動信号により、第１リール１５ａ〜第３リール１５ｃを回転させる。また、ストップ信号に応答してＣＰＵ６０から出力されるリール停止信号により、第１リール１５ａ〜第３リール１５ｃをそれぞれ停止させる。
【００２５】
ＣＰＵ６０は、制御部６９、電子抽選部７０、当選役決定部７１、精算部（精算手段）７２、識別部（識別手段）７３、設定無効化部（設定無効化手段）７４、エラー報知部（報知手段）７５を備えている。制御部６９は、メモリ６１に記憶された遊技プログラムに基づきスロットマシン１０の各種センサや装置の動作を制御する。
【００２６】
電子抽選部７０は、スタート信号を受けて乱数値をサンプリングし、遊技が開始されるごとに１つの乱数値を抽選する。抽選された乱数値は当選役決定部７１に入力される。当選役決定部７１は、入力された乱数値が実行された遊技でどのような当選役を与えるかを決定する。制御部６９は、決定した当選役が入賞有効ライン上で揃うと、入賞が成立したと判断し、当選役の種類に応じて規定枚数のメダルをホッパー装置６７に払い出させるか、あるいはクレジットされて、更新されたクレジット情報がメモリ６１に記憶される。
【００２７】
当選役決定部７１には、電子抽選部７０で発生する全乱数値を複数の数値範囲にグループ分けし、各グループに当選役を割り当てた複数の抽選テーブルが用意されている。抽選テーブルは、第１抽選テーブル７６ａ〜第６抽選テーブル７６ｆの６種類があり、それぞれに設定１〜６が対応付けられている。各抽選テーブルには、周知のビッグボーナスモード，レギュラーボーナスモード、アシストタイムモード等のように多数のメダルを獲得できるボーナス遊技に移行する特賞役、所定枚数のメダルが払い出される小役、メダルを投入することなく同じ入賞有効ライン本数で次回の遊技を行う権利が得られるリプレイ役などの当選役と、これらの当選役と異なるハズレが割り当てられている。各抽選テーブルは、電子抽選部７０によってサンプリングされた乱数値が各当選役又はハズレのいずれのグループに属しているかの判定に使用される。
【００２８】
第１抽選テーブル７６ａ〜第６抽選テーブル７６ｆは、例えばボーナス遊技に移行する確率が互いに異なるように乱数値がグループ分けされている。ボーナス遊技に移行するための条件としては、例えば、特賞役に直接当選した時、特定の小役が連続して所定回数だけ当選した時、ハズレが連続して所定回数だけ抽選された時、所定回数の遊技を行った時等があり、ボーナス遊技に移行する条件が満たされると、特賞役を入賞有効ライン上で揃える遊技を行うことができる。スロットマシン１０では、遊技者に有利な遊技状態となるボーナス遊技に移行する確率が、各抽選テーブルにおける当りの当選確率を表し、どの抽選テーブルを使用して遊技が実行されるかによりペイアウト率が変わる。
【００２９】
第１抽選テーブル７６ａ〜第６抽選テーブル７６ｆは、第１抽選テーブル７６ａが「１」の設定値に対応して最もペイアウト率が低く、第６抽選テーブル７６ｆが「６」の設定値に対応して最もペイアウト率が高い。第２抽選テーブル７６ｂ〜第５抽選テーブル７６ｅは、当りの当選確率が第１抽選テーブル７６ａと第６抽選テーブル７６ｆの間の数値であり、高い設定値に対応した抽選テーブルほどペイアウト率が高い。
【００３０】
制御部６９は、モード切り換え操作部３５のキーシリンダ３６及び電源スイッチ３７が操作された信号に応じて遊技モードから設定モードに切り換わる。設定モードでは、制御部６９は、ゲームカウント表示部３０ｂに設定値を表示するための設定値表示信号を送る。設定値は、遊技に使用する抽選テーブルを指定するためのパラメータであり、設定値情報としてメモリ６１に記憶され、設定値の選択操作が行われることにより適宜書き換えられる。制御部６９はメモリ６１に記憶された設定値情報を読み出して、これに対応した設定値表示信号をゲームカウント表示部３０ｂに送る。ゲームカウント表示部３０ｂには、当選役決定部７１が当選役の決定に使用する抽選テーブルの種類に対応した設定値が表示される。
【００３１】
精算部７２は、ペイアウトボタン２０が操作されたことに応じて、クレジット情報をメモリ６１から読み出し、ホッパー装置６７を作動させてクレジットされていたメダルを払い出すといった精算処理を行う。精算部７２は、精算処理中に電源スイッチ３７がオフになったときには、払い出されていないメダルの枚数を記憶し、電源スイッチ３７がオンになったときに精算処理を続行する。
【００３２】
識別部７３は、モード切り換え操作部３５のキーシリンダ３６及び電源スイッチ３７が操作され、スロットマシン１０を遊技モードから設定モードへと切り換える信号が制御部６９に入力されたとき、精算部７２によって精算処理が行われているか否かを識別する。
【００３３】
設定無効化部７４は、精算部７２によって精算処理が行われていないことが識別部７３によって識別されたときに、選択スイッチ３５及びスタートレバー２２から入力される信号を無効化する。設定無効化部７４によってこれらの信号が無効化されると、選択スイッチ３５及びスタートレバー２２による選択操作が行われても、それに応じた制御部６９による処理が行われないようになる。
【００３４】
エラー報知部７５は、精算部７２によって精算処理が行われていないことが識別部７３によって識別されたときに、スロットマシン１０において異常が発生したことを示す画像を液晶表示装置１６に表示するエラー報知を行う。なお、エラー報知の態様は、スロットマシン１０において異常が発生したことが遊技場の管理者などに認知されるものであれば適宜の態様を用いれば良く、また、液晶表示装置１６の他に、ランプやスピーカーを設けて、これらを点滅させたり発声させるなどしても良い。
【００３５】
次に、上記構成のスロットマシン１０の作用を図５のフローチャートを用いて説明する。鍵４０を用いてモード切り換え操作部３５のキーシリンダ３６をオン位置に回動させた状態で、電源スイッチ３７をオフからオンに切り換えると、制御部６９は遊技モードから設定モードに切り換わる。このとき、識別部７３は、精算部７２によって精算処理が行われているか否かを識別する。精算処理が行われていることが識別部７３によって識別されると、選択スイッチ３５及びスタートレバー２２による選択操作が有効化され、抽選テーブルの変更が可能となる。精算処理が行われていないことが識別部７３によって識別されると、設定無効化部７４は、選択スイッチ３５及びスタートレバー２２による選択操作を無効化し、エラー報知部７５は、液晶表示装置１６を用いてエラー報知を行う。キーシリンダ３６がオン位置からオフ位置に回動すると、制御部６９は設定モードから遊技モードに切り換わる。遊技モードでは選択スイッチ３５及びスタートレバー２２による選択操作を無効化される。このように、抽選テーブルを設定する際には、モード切り換え操作部３５を操作する前に精算処理を始動させ、該精算処理が終了する前にモード切り換え操作部を操作しなければならない。このため、遊技に用いられる抽選テーブルを設定するために手間と時間を要し、また、スロットマシン１０における精算処理ではメダルがホッパー装置６７から払い出される際に大きな音が生じるので、遊技場の管理者に気付かれることなく遊技に用いられる抽選テーブルを不正に変更することが困難となる。
【００３６】
なお、上記実施形態では、設定無効化部７４は、選択スイッチ３５及びスタートレバー２２から入力される信号を無効化したが、選択操作を無効化する方法はこれに限られず、例えば、選択スイッチ３５またはスタートレバーのいずれか一方を無効化したり、また、選択操作による選択結果を採用せずに以前の設定に戻す等の方法を適宜用いて良い。
【図面の簡単な説明】
【００３７】
【図１】スロットマシンの外観斜視図である。
【図２】下部扉を開放した状態を示す斜視図である。
【図３】設定値を選択する際の表示態様を示す説明図である。
【図４】スロットマシンの電気的な構成を示すブロック図である。
【図５】抽選テーブルを設定する流れを示すフローチャートである。
【符号の説明】
【００３８】
１０  スロットマシン（遊技機）
１６  液晶表示画面
２０  ペイアウトボタン
３０  遊技情報表示部
３０ｂ  ゲームカウント表示部
３５  モード切り換え操作部
３６  キーシリンダ
３７  電源スイッチ
４０  鍵
６７  ホッパー装置
７２  精算部（精算手段）
７３  識別部（識別手段）
７４  設定無効化部（設定無効化手段）
７５  エラー報知部（報知手段）
７６ａ〜７６ｆ  第１抽選テーブル〜第６抽選テーブル
【図１】
2006239064.tif 000003
【図２】
2006239064.tif 000004
【図３】
2006239064.tif 000005
【図４】
2006239064.tif 000006
【図５】
2006239064.tif 000007